(57)【要約】  基地局と端末が通信する無線通信システムにおいて、端末が効率良く接続先を切り替える。端末は、位置情報測定部を備え、位置情報を基地局へ通知し、基地局から送信された接続基地局情報に基づいて、接続基地局情報の同期信号を生成し、接続基地局と通信を行う。第一の基地局に端末情報を送信し、該第一の基地局から通知された情報に基づいて第二の基地局との通信を開始する。前記端末情報は位置情報であり、ＧＰＳもしくは測位用の参照信号により得られる情報である。
2014050449.tif 000002
【特許請求の範囲】
【請求項１】
基地局と通信を行う端末であって、
第一の基地局に端末情報を送信し、該第一の基地局から通知された情報に基づいて第二の基地局との通信を開始することを特徴とする端末。
【請求項２】
前記端末情報は、位置情報であることを特徴とする請求項１に記載の端末。
【請求項３】
前記位置情報は、ＧＰＳにより得られる情報であることを特徴とする請求項２に記載の端末。
【請求項４】
前記位置情報は、測位用の参照信号により得られる情報であることを特徴とする請求項２に記載の端末。
【請求項５】
前記端末情報は、受信品質であることを特徴とする請求項１に記載の端末。
【請求項６】
請求項１記載の端末であって、
前記第一の基地局との通信を開始する際には、セルサーチと同期を行い、前記第二の基地局との通信が指示された場合には、同期を行うことを特徴とする端末。
【請求項７】
請求項１記載の端末であって、
前記第一の基地局から通知された複数の第二の基地局と同期を行い、受信品質を測定することを特徴とする端末。
【請求項８】
測定された全ての第二の基地局の受信品質に関する情報を前記第一の基地局に通知することを特徴とする請求項７記載の端末。
【請求項９】
請求項１記載の端末であって、
前記第二の基地局との通信における受信品質が所定の値以下となった場合に、前記第一の基地局に端末情報を送信し、前記第一の基地局から送信された情報に基づいて第三の基地局と通信を開始することを特徴とする端末。
【請求項１０】
端末を制御する基地局であって、
前記端末から通知された端末情報を受信し、接続基地局情報を該端末へ送信することを特徴とする基地局。
【請求項１１】
前記端末情報は、位置情報であることを特徴とする請求項１０に記載の基地局。
【請求項１２】
前記位置情報は、ＧＰＳにより得られる情報であることを特徴とする請求項１１記載の基地局。
【請求項１３】
前記位置情報は、測位用の参照信号により得られる情報であることを特徴とする請求項１１記載の基地局。
【請求項１４】
前記端末情報は、受信品質であることを特徴とする請求項１０に記載の基地局。
【請求項１５】
前記端末情報から位置情報を把握し、該位置情報に基づいて、前記接続基地局情報を決定することを特徴とする請求項１０に記載の基地局。
【請求項１６】
前記接続基地局情報は、前記端末と第二の基地局との距離に基づいて決定することを特徴とする請求項１０に記載の基地局。
【請求項１７】
端末を制御する基地局であって、
前記端末から通知された端末情報を受信し、候補基地局を該端末へ送信し、該端末から受信品質を受信し、接続基地局情報を該端末へ送信することを特徴とする基地局。
【発明の詳細な説明】
【技術分野】
【０００１】
本発明は、基地局および端末に関する。
【背景技術】
【０００２】
携帯電話等の無線通信システムでは、広いエリアを面的にカバーするよう複数の基地局（ｅＮＢ：ｅｖｏｌｖｅｄ  ＮｏｄｅＢ）を配置し、各基地局は端末（ＵＥ：Ｕｓｅｒ  Ｅｑｕｉｐｍｅｎｔ）と接続することでデータ通信を行うとともに、その接続を管理している。各基地局が端末と接続可能な範囲（通信エリア）はセルと呼ばれ、セルがいくつかの範囲に分割されたエリアはセクタと呼ばれ、各基地局はセル又はセクタを単位として端末との接続を管理する。【０００３】
近年、スマートフォン等の普及によるトラフィック量の増加に伴い、トラフィックの分散が要求される。そこで、３ＧＰＰ（３ｒｄ  Ｇｅｎｅｒａｔｉｏｎ  Ｐａｒｔｎｅｒｓｈｉｐ  Ｐｒｏｊｅｃｔ）では、セル半径が大きく広い領域を通信エリアとするセル（例えば、マクロセルであり、以下ではマクロセルと称する）内に、小電力基地局（ＬＰＮ：Ｌｏｗ  Ｐｏｗｅｒ  Ｎｏｄｅ、ピコセル基地局、フェムトセル基地局等）が構成するセル（ピコセル、フェムトセル、スモールセル等であり、以下ではスモールセルと称する）を配置することが提案されている（非特許文献１）。ここで、小電力基地局とは、マクロセル基地局より送信電力が小さい基地局をいう。
【先行技術文献】
【非特許文献】
【０００４】
【非特許文献１】Ｅｒｉｃｓｓｏｎ，ＲＷＳ−１２０００３，Ｖｉｅｗｓ  ｏｎ  Ｒｅｌ−１２，Ｊｕｎｅ，２０１２．
【発明の概要】
【発明が解決しようとする課題】
【０００５】
非特許文献１では、マクロセル内に複数のスモールセルを配置することが開示されているが、例えば、端末の接続先をマクロセルの基地局からスモールセルの基地局に変更する場合の手順や新たな接続先の決定方法等、接続先の切り換えに関する具体的な実現手段は開示されていない。【０００６】
さらに、現在のセルラシステムで用いられている方法（例えば、ハンドオーバやセルサーチ）を適用すると、端末は周辺の基地局から送信される同期信号を検出し、各セルの受信電力を測定し、最も受信電力が高いセルの基地局を新たな接続先とする。この場合、端末は、検出可能となる全てのセルの受信電力を測定するため、特にスモールセルが密に配置された環境では、端末は多数のセルを検出する必要があり、端末のバッテリーの消費の問題等が生じる。また、端末は、ハンドオーバの処理の際に必要な情報をコアネットワークに通知する必要があるため、接続先を迅速に切り替えることができないという問題が生じる。【０００７】
本発明は、上記問題に鑑みてなされたものであり、端末が効率良く接続先を切り替えることを可能とする基地局および端末を提供することにある。
【課題を解決するための手段】
【０００８】
上述した課題を解決するために本発明に係る基地局および端末の各構成は、次の通りである。【０００９】
（１）本発明の一態様による端末は、基地局と通信を行う端末であって、
第一の基地局に端末情報を送信し、該第一の基地局から通知された情報に基づいて第二の基地局との通信を開始することを特徴とする。【００１０】
（２）また、本発明の一態様による端末は上記の端末であって、前記端末情報は、位置情報であることを特徴とする。【００１１】
（３）また、本発明の一態様による端末は上記の端末であって、前記位置情報は、ＧＰＳにより得られる情報であることを特徴とする。【００１２】
（４）また、本発明の一態様による端末は上記の端末であって、前記位置情報は、測位用の参照信号により得られる情報であることを特徴とする。【００１３】
（５）また、本発明の一態様による端末は上記の端末であって、前記端末情報は、受信品質であることを特徴とする。【００１４】
（６）また、本発明の一態様による端末は上記の端末であって、前記第一の基地局との通信を開始する際には、セルサーチと同期を行い、前記第二の基地局との通信が指示された場合には、同期を行うことを特徴とする。【００１５】
（７）また、本発明の一態様による端末は上記の端末であって、前記第一の基地局から通知された複数の第二の基地局と同期を行い、受信品質を測定することを特徴とする。【００１６】
（８）また、本発明の一態様による端末は上記の端末であって、測定された全ての第二の基地局の受信品質に関する情報を前記第一の基地局に通知することを特徴とする。【００１７】
（９）また、本発明の一態様による端末は上記の端末であって、前記第二の基地局との通信における受信品質が所定の値以下となった場合に、前記第一の基地局に端末情報を送信し、前記第一の基地局から送信された情報に基づいて第三の基地局と通信を開始することを特徴とする。【００１８】
（１０）また、本発明の一態様による基地局は、端末を制御する基地局であって、前記端末から通知された端末情報を受信し、接続基地局情報を該端末へ送信することを特徴とする。【００１９】
（１１）また、本発明の一態様による基地局は上記の基地局であって、前記端末情報は、位置情報であることを特徴とする。【００２０】
（１２）また、本発明の一態様による基地局は上記の基地局であって、前記位置情報は、ＧＰＳにより得られる情報であることを特徴とする。【００２１】
（１３）また、本発明の一態様による基地局は上記の基地局であって、前記位置情報は、測位用の参照信号により得られる情報であることを特徴とする。【００２２】
（１４）また、本発明の一態様による基地局は上記の基地局であって、前記端末情報は、受信品質であることを特徴とする。【００２３】
（１５）また、本発明の一態様による基地局は上記の基地局であって、前記端末情報から位置情報を把握し、該位置情報に基づいて、前記接続基地局情報を決定することを特徴とする。【００２４】
（１６）また、本発明の一態様による基地局は上記の基地局であって、前記接続基地局情報は、前記端末と前記第二の基地局との距離に基づいて決定することを特徴とする。【００２５】
（１７）また、本発明の一態様による基地局は、端末を制御する基地局であって、前記端末から通知された前記端末情報を受信し、候補基地局を該端末へ送信し、該端末から受信品質を受信し、接続基地局情報を該端末へ送信することを特徴とする。
【発明の効果】
【００２６】
この発明によれば、端末が接続先を変更する場合において、効率良く接続先を切り替えることができる。
【図面の簡単な説明】
【００２７】
【図１】第１の実施形態における通信システムの構成例を示す概略図である。
【図２】マクロセル基地局１００がセクタを単位として端末３００との接続を管理する通信システムの構成例を示す概略図である。
【図３】第１の実施形態における通信システムの処理の流れの一例を示すシーケンス図である。
【図４】第１の実施形態の他の態様を表す通信システムの構成例を示す概略図である。
【図５】第１の実施形態におけるマクロセル基地局１００及び小電力基地局２００−ｘの構成例を示す概略ブロック図である。
【図６】第１の実施形態における端末３００の構成例を示す概略ブロック図である。
【図７】第２の実施形態における通信システムの処理の流れの一例を示すシーケンス図である。
【図８】第２の実施形態における端末３００の構成例を示す概略ブロック図である。
【図９】第３の実施形態における通信システムの構成例を示す概略図である。
【図１０】第３の実施形態における通信システムの処理の流れの一例を示すシーケンス図である。
【発明を実施するための形態】
【００２８】
以下、本発明の実施形態について、図面を参照して詳細に説明する。
（第１の実施形態）
【００２９】
図１は、第１の実施形態における通信システムの構成例を示す概略図である。図１に示すように、本実施形態における通信システムは、マクロセル基地局（第一の基地局）１００によって広い領域を通信エリアとするマクロセル１０（マクロエリア）内に、小電力基地局２００−ｘ（ｘは任意の正整数、本実施形態の例では１≦ｘ≦４）で構成される領域を通信エリアとするスモールセル２０−ｘで構成されている。また、端末３００は、図１に示すように、マクロエリア内の任意の位置に存在しているものとする。
【００３０】
なお、マクロセル基地局と小電力基地局の違いは、送信電力の違いを前提とするが、これに限定されない。また、ピコセル基地局とフェムトセル基地局のように、スモールセルに含まれる基地局間でもカバーする通信エリア（セル）が異なることがあるが、このような環境も本発明を適用することができる。また、マクロセル基地局と小電力基地局はバックホール回線で接続されており、光ファイバやＸ２インターフェースのような有線を用いてもよいし、リレー基地局のような無線を用いてもよい。
【００３１】
また、以下の実施形態では、マクロエリアをカバーするマクロセル基地局が端末の接続を管理して小電力基地局への接続をアシストする方法を記載するが、マクロセル基地局と小電力基地局の区別は送信電力のみならず、既にサービスインしている方式をサポートする後方互換性のあるセルと、新しく定義される後方互換性のないセルとで区別してもよい。
【００３２】
本実施形態では、一例として図１の通信システムを想定するが、マクロセル内に少なくとも１つのスモールセルが構成された通信システムであれば、本実施形態を適用することができ、セル数、基地局の数、端末の数、セルの種類（例えば、ピコセル、フェムトセル等）、基地局の種類等は本実施形態に限定されない。また、マクロセル基地局１００がセクタを単位として端末３００との接続を管理する通信システムであってもよい。図２は、マクロセル基地局１００がセクタを単位として端末３００との接続を管理する通信システムの構成例を示す概略図である。図２のようにマクロセル基地局１００の一方向のセクタでマクロセル１０を構成し、マクロセル１０内に少なくとも１つのスモールセル２０−ｘが配置される。これらの点は、第１の実施形態のみならず他の実施形態も同様である。また、図１は、スモールセルがマクロセル内に完全にオーバーラップしているが、部分的にオーバーラップしていてもよいし、オーバーラップしていなくてもよく、これに限定されない。
【００３３】
本実施形態では、各セルの基地局（マクロセル基地局１００及び小電力基地局２００−ｘ）は、定期的に同期信号（ＳＳ：Ｓｙｎｃｈｒｏｎｉｚａｔｉｏｎ  Ｓｉｇｎａｌ）、トラッキング信号、測定用信号（例えば、セル固有の参照信号、共通パイロット信号等）を送信する。ここで、同期信号は、例えば３ＧＰＰ（Ｔｈｅ  Ｔｈｉｒｄ  Ｇｅｎｅｒａｔｉｏｎ  Ｐａｔｒｎｅｒｓｈｉｐ  ｐｒｏｊｅｃｔ）で定義されているＰＳＳ（Ｐｒｉｍａｒｙ  ＳＳ）やＳＳＳ（Ｓｅｃｏｎｄａｒｙ  ＳＳ）のような搬送周波数やセルＩＤを探索（セルサーチ）するための信号である。トラッキング信号は、受信信号のサンプル点を同期信号よりも正確に同定するための信号である。測定用信号は、受信品質を測定するための信号である。なお、全ての基地局は、必ずしもこれら全ての信号を送信する必要はなく、例えば、トラッキング信号と測定用信号のみを送信する等、一部の信号だけを送信する方法でもよいし、各信号の信号形式を変更してもよい。また、例えば、マクロセル基地局が後方互換性を維持する方法を用いて、小電力基地局が新しい方式を用いる（例えば、３ＧＰＰではＮＣＴ（Ｎｅｗ  Ｃａｒｒｉｅｒ  Ｔｙｐｅと称される）といった、マクロセル基地局１００と小電力基地局２００−ｘとで異なる同期方法を用いてもよい。したがって、例えば、マクロセル基地局１００は全ての信号が含まれる信号形式であるが、小電力基地局２００−ｘはトラッキング信号と測定用信号のみが含まれる信号形式とすることができる。また、トラッキング信号と測定用信号は同じ信号であってもよく、以下では、トラッキング信号と測定用信号は同一の信号形式であるものとする。また、以下では、マクロセル基地局と小電力基地局で異なる周波数を用いることを前提とするが、これに限定されない。
【００３４】
なお、本発明に係る実施形態では、搬送周波数の探索とセルＩＤの探索をセルサーチと定義し、サンプル点の同定を同期と定義するが、同様の処理を行っていれば本質的に同一である。
【００３５】
まず、本実施形態における処理の流れについて説明する。図３は、本実施形態における通信システムの処理の流れの一例を示すシーケンス図である。図３において、接続基地局（第二の基地局）とは、新たな接続先となる基地局を表し、小電力基地局２００−ｘのうちいずれかの基地局である。
【００３６】
端末３００は、各基地局から送信された同期信号のうち、マクロセル基地局１００から送信された同期信号（つまり、マクロセル１０で通信を行うための同期信号）を検出する（ステップＳ１０１）。このとき、端末３００は、システムで定められているセル毎の周波数割り当てを参照し、マクロセル１０が使用する周波数の同期信号を検出する。なお、マクロセル１０の同期信号を探索する方法は、候補となる全てのセルＩＤを用いて同期信号のレプリカを生成し、受信した同期信号との相関が最も高くなるセルＩＤを探すといった方法等が用いられる。また、マクロセル１０とスモールセル２０−ｘとの信号形式の違いからマクロセル１０の同期信号と判別してもよい。さらに、端末３００は、マクロセル基地局１００に接続する（ステップＳ１０２）。
【００３７】
端末３００は、端末３００の位置情報（端末情報）を測定する（ステップＳ１０３）。なお、位置情報とは、端末３００の地理的な位置を表す情報又は相対的な位置を表す情報であればよい。地理的な位置を表す情報としては、例えば、ＧＰＳ（Ｇｌｏｂａｌ  Ｐｏｓｉｔｉｏｎｉｎｇ  Ｓｙｓｔｅｍ）を用いて測定した情報であり、相対的な位置を表す情報としては、例えば、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）の場合のような、マクロセル基地局１００から送信されるＰｏｓｉｔｉｏｎｉｎｇ参照信号等を用いて測定した情報でもよい。また、位置情報以外にも、セル固有の参照信号を用いて測定した各基地局との間の受信品質を用いてもよい。なお、ステップＳ１０３の処理は、ステップＳ１０１及びステップＳ１０２よりも前に処理を行ってもよく、端末３００が位置情報を測定できるタイミングであればよい。
【００３８】
端末３００は、位置情報をマクロセル基地局１００に通知する（ステップＳ１０４）。
【００３９】
マクロセル基地局１００は、端末３００から通知された位置情報に基づいて、接続基地局を決定する（ステップＳ１０５）。マクロセル基地局１００は、端末３００の位置情報と各小電力基地局２００−ｘとの距離を計算し、最も距離が短い小電力基地局２００−ｘのセルＩＤを接続基地局情報とすることが好ましい。例えば、図１において、端末３００は小電力基地局２００−４との距離が最も近い場合、接続基地局情報をスモールセル２０−４のセルＩＤとする。なお、接続基地局情報は、接続先のセルや基地局を特定できる情報であればよく、セルＩＤに限定されない。
【００４０】
また、マクロセル基地局１００は、端末３００の位置情報を測定し、その結果を考慮して接続基地局を決定してもよい。例えば、マクロセル基地局１００は、端末３００が送信する参照信号、制御信号を用いて、位置情報を測定する。これにより、マクロセル基地局１００は、端末３００から通知された位置情報と自局が測定した位置情報を用いて、接続基地局を決定できる。
【００４１】
また、ステップＳ１０５において、マクロセル基地局１００は、位置情報に加えて、各基地局の接続状況を考慮して接続基地局を決定してもよい。図４は、第１の実施形態の他の態様を表す通信システムの構成例を示す概略図である。例えば、図４のように、小電力基地局２００−１及び小電力基地局２００−２にはそれぞれ端末４００−１及び端末４００−２が接続され、小電力基地局２００−３及び２００−４には端末が接続されていない場合、端末が接続されていない小電力基地局（小電力基地局２００−３及び小電力基地局２００−４）のうち、端末３００との距離が近い小電力基地局を接続基地局とする。
【００４２】
マクロセル基地局１００は、バックホール回線を通じて、接続基地局に接続要求（例えば、ハンドオーバリクエスト）を通知する（ステップＳ１０６）。接続基地局は、接続可能か否かを判断し、マクロセル基地局１００に許可通知（例えば、ハンドオーバリクエストＡＣＫ/ ＮＡＣＫ）を通知する（ステップＳ１０７）。接続基地局は、接続可能な場合、スケジューリング等の接続準備を行う。
【００４３】
マクロセル基地局１００は、端末３００に対して、接続先をマクロセル基地局１００から接続基地局に変更するよう指示する（ステップＳ１０８）。
【００４４】
端末３００は、接続基地局の同期信号や測定用信号を検出する（ステップＳ１０９）。なお、接続基地局の信号を検出する方法は、ステップＳ１０１と同様でもよいし、信号形式が異なればその信号形式に基づいた同期処理を行ってもよい。また、接続基地局の搬送周波数の同期信号を検出してもよいし、接続基地局のセルＩＤやセル毎の信号形式の違い等から接続基地局の信号と判断してもよい。最後に、端末３００は、接続基地局に接続する（ステップＳ１１０）。
【００４５】
以上のように、本実施形態では、端末３００はマクロセル基地局１００に接続し、端末３００の位置情報をマクロセル基地局１００へ通知する。また、マクロセル基地局１００は、小電力基地局２００−ｘのうち端末３００との距離に基づいて選択した小電力基地局２００−ｘを接続基地局（新たな接続先）とし、端末３００は接続先をマクロセル基地局１００から接続基地局に切り替える。従来のセルサーチを用いてマクロセル基地局から小電力基地局へ接続を切り替える場合、端末は検出可能な全ての基地局からの信号を検出する必要があった。しかし、本実施形態を用いると、端末は、マクロセル基地局からの同期信号と、マクロセル基地局が指定した接続基地局の測定用信号のみを検出すればよいため、信号の検出処理を削減し、効率良く接続先を変更することができる。
【００４６】
図５は、第１の実施形態におけるマクロセル基地局１００及び小電力基地局２００−ｘの構成例を示す概略ブロック図である。図５を用いて、本実施形態におけるマクロセル基地局１００について説明する。
【００４７】
マクロセル基地局１００は、位置情報検出部１０１−１、接続基地局決定部１０１−２、情報データ生成部１０１−３、物理レイヤ制御部１０２、符号化部１０３、変調部１０４、参照信号生成部１０５、制御信号生成部１０６、同期信号生成部１０７、リソースマッピング部１０８、ＩＦＦＴ部１０９、ＣＰ挿入部１１０、送信部１１１、送信アンテナ部１１２、受信アンテナ部１２１、受信部１２２、制御情報検出部１２３、及び、情報データ検出部１２４を備えている。なお、位置情報検出部１０１−１、接続基地局決定部１０１−２、及び、情報データ生成部１０１−３は上位レイヤ１０１と称される。また、上記基地局１００の一部あるいは全部をチップ化して集積回路となる場合、各機能ブロックに対して制御を行なうチップ制御回路（図示せず）を有する。なお、図５では、送信アンテナ数及び受信アンテナ数を１本としているが、アンテナ本数は複数であってもよい。
【００４８】
上りリンクにおいて、マクロセル基地局１００は、受信アンテナ部１２１を介して、端末３００が送信した信号を受信する。ここで、マクロセル基地局１００が受信した信号には、制御信号と上りデータ信号等が含まれる。
【００４９】
制御信号には、基地局１００が下りリンクにおいて送信する送信信号のパラメータに関する情報等が含まれる。送信信号のパラメータに関する情報としては、チャネル品質指標（ＣＱＩ：Ｃｈａｎｎｅｌ  Ｑｕａｌｉｔｙ  Ｉｎｄｉｃａｔｏｒ）、ＭＩＭＯ伝送のランク数・空間多重数（ＲＩ：Ｒａｎｋ  Ｉｎｄｉｃａｔｏｒ）、その他下りリンクのスケジューリングに関する情報等が該当する。スケジューリングとは、あるデータを送信するに際し、どの時間（タイミング）で、どの周波数帯域で送信するかを決定することをいい、スケジューリング情報とは、前記決定した時間、周波数帯域に関する情報をいう。例えば、ＬＴＥ、ＬＴＥ−Ａでは、情報データ等をどのリソースブロックに割り当てるかを決定することをいう。なお、リソースブロックとは、ＯＦＤＭ伝送においては、１つのサブキャリアと１つのＯＦＤＭシンボルから成る信号を配置する最小単位であるリソースエレメントを複数集めて構成される信号の割当て単位である。また、制御信号には、位置情報を含めることもできる。なお、制御信号は、上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）等を用いて送信される。
【００５０】
上りデータ信号には、上位レイヤ１０１で必要とする情報が含まれている。本実施形態では、位置情報を上りデータ信号に含める。なお、上位レイヤ１０１の制御信号は、上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）等を用いて送信される。
【００５１】
受信部１２２は、受信した信号を信号検出処理等のデジタル信号処理が可能な周波数帯へダウンコンバート（無線周波数変換）し、さらにフィルタリング処理を行う。また、フィルタリング処理した信号をアナログ信号からデジタル信号に変換（Ａ／Ｄ変換：Ａｎａｌｏｇ  ｔｏ  Ｄｉｇｉｔａｌ変換）し、制御信号を制御情報検出部１２３へ出力し、上りデータ信号を情報データ検出部１２４へ出力する。
【００５２】
制御情報検出部１２３は、受信部１２２から入力された制御信号に対して、復調処理及び復号処理等を行い、制御情報を検出し、物理レイヤ制御部１０２へ出力する。
【００５３】
情報データ検出部１２４は、受信部１２２から入力された上りデータ信号に対して、復調処理及び復号処理等を行い、上り情報データを検出し、上位レイヤ１０１（位置情報検出部１０１−１）へ出力する。なお、上り情報データには、端末３００から送信された位置情報（図３のステップＳ１０４）を含めることができる。
【００５４】
上位レイヤ１０１は、情報データ検出部１２４から入力された上り情報データを取得する。ここで、上位レイヤは、ＲＲＣ（ｒａｄｉｏ  Ｒｉｎｋ  Ｃｏｎｔｒｏｌ）レイヤを含むものとする。
【００５５】
位置情報検出部１０１−１は、端末３００から通知された上り情報データから位置情報を検出し、接続基地局決定部１０１−２へ出力する。接続基地局決定部１０１−２は、位置情報検出部１０１−１から入力された位置情報に基づいて、接続基地局情報を決定する（図３のステップＳ１０５）。
【００５６】
また、接続基地局決定部１０１−２は、バックホール回線を通じて、接続基地局に接続要求を通知し（図３のステップＳ１０６）、接続基地局から接続許可通知が受信される（図３のステップＳ１０７）。なお、ステップＳ１０６及びステップＳ１０７のような他の基地局との情報のやりとりに関しては、バックホール回線を通じて、マクロセル基地局の上位レイヤ１０１と小電力基地局の上位レイヤ１０１で行えばよく、接続基地局決定部１０１−２に限定されない。
【００５７】
端末３００から通知された許可通知がハンドオーバを許可する旨を示す通知（例えば、ハンドオーバリクエストＡＣＫ）の場合、マクロセル基地局１００は端末３００の接続先を変更する。この場合、接続基地局決定部１０１−２は、接続基地局情報を情報データ生成部１０１−３へ出力する。また、位置情報検出部１０１−１は、接続基地局情報以外の送信データ（接続基地局情報以外の上位レイヤ１０１が端末３００へ送信するデータ）があれば、情報データ生成部１０１−３へ出力する。情報データ生成部１０１−３は、入力された接続基地局情報及び接続基地局情報以外の送信データを予め定められた信号形式に変換し、下り情報データとする。ここで、下り情報データとは、ＭＡＣ（Ｍｅｄｉｕｍ  Ａｃｃｅｓｓ  Ｃｏｎｔｒｏｌ）レイヤから物理レイヤに転送されるデータ及び、これらのパラメータを制御するＲＲＣ（Ｒａｄｉｏ  Ｒｅｓｏｕｒｃｅ  Ｃｏｎｔｒｏｌ）レイヤで設定されたパラメータを含んでいる。また、情報データ生成部１０１−３は、下り情報データを物理レイヤ制御部１０２へ出力する。
【００５８】
一方、端末３００から通知された許可通知がハンドオーバを許可しない旨を示す通知（例えば、ハンドオーバリクエストＮＡＣＫ）の場合、マクロセル基地局１００は端末３００の接続先を変更しない。この場合、位置情報検出部１０１−１は、接続基地局情報以外の送信データを情報データ生成部１０１−３へ出力し、情報データ生成部１０１−３は、入力された接続基地局情報以外の送信データのみを下り情報データとし、下り情報データを物理レイヤ制御部１０２へ出力する。
【００５９】
このように、上位レイヤ１０１では、マクロセル基地局１００が端末３００の接続先を変更する場合のみ、接続基地局情報に関する下りデータ情報を生成する（図３のステップＳ１０８）。
【００６０】
物理レイヤ制御部１０２は、情報データ生成部１０１−３から入力された下り情報データを符号化部１０３へ出力する。また、物理レイヤ制御部１０２は、制御情報検出部１２３から入力された制御情報に基づいて、参照信号の生成パターンを決定し、参照信号の生成パターンを参照信号生成部１０５へ出力する。また、物理レイヤ制御部１０２は、制御情報検出部１２３から入力された制御情報を制御信号生成部１０６へ出力する。
【００６１】
符号化部１０３は、情報データ生成部１０１−３から入力された下り情報データに対して誤り訂正符号化を行う。符号化部１０３が誤り訂正符号化を行う際に用いる符号化方式は、例えば、ターボ符号化（ｔｕｒｂｏ  ｃｏｄｉｎｇ）、畳み込み符号化（ｃｏｎｖｏｌｕｔｉｏｎａｌ  ｃｏｄｉｎｇ）、低密度パリティ検査符号化（ＬＤＰＣ：ｌｏｗ  ｄｅｎｓｉｔｙ  ｐａｒｉｔｙ  ｃｈｅｃｋ  ｃｏｄｉｎｇ）等である。なお、符号化部１０３は、誤り訂正符号化したデータ系列の符号化率（ｃｏｄｉｎｇ  ｒａｔｅ）をデータ伝送率に対応する符号化率に合わせるために、符号化ビット系列に対してレートマッチング処理を行ってもよい。また、符号化部１０３は、誤り訂正符号化したデータ系列を並び替えてインターリーブする機能を有してもよい。
【００６２】
変調部１０４は、符号化部１０３から入力された信号を変調して変調シンボルを生成する。変調部１０４が行う変調処理は、例えば、ＢＰＳＫ（Ｂｉｎａｒｙ  Ｐｈａｓｅ  Ｓｈｉｆｔ  Ｋｅｙｉｎｇ；２相位相変調）、ＱＰＳＫ（Ｑｕａｄｒａｔｕｒｅ  Ｐｈａｓｅ  Ｓｈｉｆｔ  Ｋｅｙｉｎｇ；４相位相変調）、ＱＡＭ（Ｑｕａｄｒａｔｕｒｅ  Ａｍｐｌｉｔｕｄｅ  Ｍｏｄｕｌａｔｉｏｎ；直交振幅変調）等である。なお、変調部１０４は、生成した変調シンボルを並び替えてインターリーブする機能を有してもよい。
【００６３】
参照信号生成部１０５は、参照信号（パイロット信号）を生成し、生成した参照信号をリソースマッピング部１０８に出力する。ここで、参照信号は、マクロセル基地局１００から端末３００の伝搬路特性の推定、受信電力の測定、測位等をするために用いる。
【００６４】
制御信号生成部１０６は、物理レイヤ制御部１０２から入力された制御情報から制御信号を生成する。なお、制御信号に誤り訂正符号化及び変調処理を施してもよい。
【００６５】
同期信号生成部１０７は、セルＩＤから予めシステムで定められたルールに従って同期信号を生成する。
【００６６】
リソースマッピング部１０８は、制御情報生成部１０６で生成されたリソース割当情報に基づいて、変調シンボル、参照信号、制御信号及び同期信号をリソースエレメントにマッピングする（リソースマッピングと呼ばれる）。
【００６７】
ＩＦＦＴ部１０９は、リソースマッピング部１０８から入力された周波数領域信号に対して高速フーリエ変換（ＩＦＦＴ：Ｉｎｖｅｒｓｅ  Ｆａｓｔ  Ｆｏｕｒｉｅｒ  Ｔｒａｎｓｆｏｒｍ）して時間領域信号に変換する。ＩＦＦＴ部１０９は、周波数領域信号を時間領域信号に変換できれば、ＩＦＦＴの代わりに、他の処理方法、例えば、逆離散フーリエ変換（ＩＤＦＴ：Ｉｎｖｅｒｓｅ  Ｄｉｓｃｒｅｔｅ  Ｆｏｕｒｉｅｒ  Ｔｒａｎｓｆｏｒｍ）を用いてもよい。
【００６８】
ＣＰ挿入部１１０は、ＩＦＦＴ部１０９から入力された時間領域信号（有効シンボルと呼ぶ）にＣＰ（Ｃｙｃｌｉｃ  Ｐｒｅｆｉｘ）を付加してＯＦＤＭシンボルを生成する。ＣＰとは、遅延波によって生じるマルチパス干渉を回避することを目的として付加するガード区間である。
【００６９】
送信部１１１は、ＣＰ挿入部１１０から入力されたＯＦＤＭシンボルを、デジタル信号からアナログ信号に変換（Ｄ／Ａ変換：Ｄｉｇｉｔａｌ  ｔｏ  Ａｎａｌｏｇ変換）する。また、送信部１１１は、生成したアナログ信号に対してフィルタリング処理により帯域制限して帯域制限信号を生成し、生成した帯域制限信号を無線周波数帯域にアップコンバートし、送信アンテナ部１１２から送信する。
【００７０】
次に、図５を用いて、本実施形態における小電力基地局２００―ｘについて説明する。
【００７１】
小電力基地局２００−ｘは、マクロセル基地局１００と同じ構成であるが、上位レイヤ１０１の処理が異なる。
【００７２】
上位レイヤ１０１は、バックホール回線を通じて、マクロセル基地局１００から接続要求が通知される（図３のステップＳ１０６）。上位レイヤ１０１は、端末３００と接続可能か否かを判断し、マクロセル基地局１００に許可通知（ハンドオーバリクエストＡＣＫ/ ＮＡＣＫ）を通知する（図３のステップＳ１０７）。
【００７３】
小電力基地局２００−ｘは、接続基地局情報の決定を行わないため、上位レイヤ１０１では、マクロセル基地局１００が端末３００の接続先を変更しない場合と同様に、情報データ生成部１０１−３は、上位レイヤ１０１が端末３００へ送信するデータのみを下り情報データとし、下り情報データを物理レイヤ制御部１０２へ出力する。
【００７４】
次に、本実施形態における端末３００について説明する。図６は、第１の実施形態における端末３００の構成例を示す概略ブロック図である。
【００７５】
端末３００は、受信アンテナ部１５１、受信部１５２、同期部１５３、ＣＰ除去部１５４、制御情報検出部１５５、ＦＦＴ部１５６、伝搬路推定部１５７、伝搬路補償部１５８、復調部１５９、復号部１６０、位置情報測定部１６１、受信品質算出部１６２、物理レイヤ制御部１６３、上位レイヤ１６４、制御信号生成部１７１、データ信号生成部１７２、送信部１７３、及び、送信アンテナ部１７４を備えている。なお、上記端末３００の一部あるいは全部をチップ化して集積回路となる場合、各機能ブロックに対して制御を行なうチップ制御回路（図示せず）を有する。なお、図６では、送信アンテナ数及び受信アンテナ数を１本としているが、アンテナ本数は複数本であってもよい。
【００７６】
端末３００は、受信アンテナ部１５１を介して、マクロセル基地局１００及び小電力基地局２００−ｘから送信された信号を受信する。
【００７７】
受信部１５２は、受信アンテナ部１５１から入力された無線周波数信号をデジタル信号処理が可能な周波数帯にダウンコンバートし、さらにフィルタリング処理を行う。さらに、受信部１５２は、フィルタリング処理を行った信号をアナログ信号からデジタル信号にＡ／Ｄ変換し、変換したデジタル信号を同期部１５３へ出力する。
【００７８】
なお、マクロセル１０の同期信号を検出する場合、受信部１５２は、無線周波数をマクロセルに割り当てられている周波数に合わせて、無線周波数信号を検出する。
【００７９】
同期信号生成部１６５では、予め、マクロセルに対応した同期信号を生成する。
【００８０】
同期部１５３は、受信部１５２から入力された信号から同期を行い、同期が完了した場合には、受信した信号をＣＰ除去部１５４へ出力する。
【００８１】
なお、上述したが、マクロセル基地局１００と同期をする場合にはセルサーチ及び同期を行い、マクロセル基地局１００と接続が完了し、マクロセル基地局１００と通信している場合には、この処理をスキップする。また、マクロセル基地局１００から接続基地局情報が通知されている場合には、小電力基地局との同期を行う。
【００８２】
ＣＰ除去部１５４は、遅延波による歪を回避するために受信部から出力される信号からＣＰを除去し、除去された信号をＦＦＴ部１５６に出力する。
【００８３】
ＦＦＴ部１５６は、ＣＰ除去部１５４から入力された信号を時間領域信号から周波数領域信号に変換する高速フーリエ変換（ＦＦＴ：Ｆａｓｔ  Ｆｏｕｒｉｅｒ  Ｔｒａｎｓｆｏｒｍ）を行い、変調シンボル及び参照信号を伝搬路推定部１５７に出力し、制御信号を制御情報検出部１５５へ出力する。なお、ＦＦＴ部１５６は、信号を時間領域から周波数領域に変換できれば、ＦＦＴに限らず、他の方法、例えば、離散フーリエ変換（ＤＦＴ：Ｄｉｓｃｒｅｔｅ  Ｆｏｕｒｉｅｒ  Ｔｒａｎｓｆｏｒｍ）等を行ってもよい。
【００８４】
伝搬路推定部１５７は、ＦＦＴ部１５６が出力した信号に含まれる参照信号（伝搬路推定用のパイロット信号）をデマッピングし、パイロット信号を用いて伝搬路推定を行う。また、伝搬路推定部１５７は、推定した伝搬路情報を伝搬路補償部１５８、位置情報測定部１６１、及び、受信品質算出部１６２へ出力する。
【００８５】
制御情報検出部１５５は、受信部１５２が出力した信号に含まれる制御情報の検出を行う。また、制御情報検出部１５５は、制御情報に含まれるリソースブロック割当情報、ＭＣＳ情報、ＨＡＲＱ情報、ＴＰＣ情報等の各種情報を抽出する。そして、抽出した各種情報を検出し、復調部１５９及び復号部１６０に出力する。
【００８６】
伝搬路補償部１５８は、伝搬路推定部１５７から入力された伝搬路推定値に基づき、ＺＦ（Ｚｅｒｏ  Ｆｏｒｃｉｎｇ；ゼロフォーシング）等化、ＭＭＳＥ（Ｍｉｎｉｍｕｍ  Ｍｅａｎ  Ｓｑｕａｒｅ  Ｅｒｒｏｒ；最小平均二乗誤差）等化等の方式を用いて、フェージングによる伝搬路歪を補正する重み係数を算出し、入力された変調シンボルに対して伝搬路補償を行う。
【００８７】
復調部１５９は、チャネル補償部１５８から入力された伝搬路補償後の信号に対して復調処理を行う。該復調処理は、硬判定（符号化ビット系列の算出）、軟判定（符号化ビットＬＬＲの算出）のどちらでもよい。
【００８８】
復号部１６０は、復調部１５９が出力する復調後の符号化ビット系列（又は、符号化ビットＬＬＲ）に対して誤り訂正復号処理を行い、下り情報データを算出し、下り情報データを物理レイヤ制御部１６３に出力する。このとき、復号した情報データには、接続基地局情報が含まれている。この誤り訂正復号処理の方式は、接続している基地局が行ったターボ符号化、畳み込み符号化等の誤り訂正符号化に対応する方式である。誤り訂正復号処理は、硬判定又は軟判定のどちらも適用できる。なお、基地局が、インターリーブしたデータ変調シンボルを送信する場合には、復号部１６０は、誤り訂正復号処理を行う前に、入力された符号化ビット系列をインターリーブに対応するデインターリーブ処理を行う。そして、復号部１６０は、デインターリーブ処理が行われた信号に対して誤り訂正復号処理を行う。
【００８９】
位置情報測定部１６１は、伝搬路推定部１５７から入力された伝搬路情報に基づいて、端末３００の位置情報を測定し（図３のステップＳ１０３）、位置情報を物理レイヤ制御部１６３へ出力する。なお、位置情報は、伝搬路情報に限らず、他の方法で算出してもよい。
【００９０】
受信品質算出部１６２は、伝搬路推定部１５７から入力された伝搬路情報に基づいて、受信品質を算出し、受信品質を物理レイヤ制御部１６３へ出力する。
【００９１】
物理レイヤ制御部１６３は、入力された下り情報データ（接続基地局情報等）及び位置情報を上位レイヤ１６４へ出力する。また、物理レイヤ制御部１６３は、入力された受信品質等を制御情報として、制御信号生成部１７１へ出力する。なお、物理レイヤ制御部１６３に入力された情報のうち、上位レイヤ１６４が管理する情報を上位レイヤ１６４へ出力してもよく、物理レイヤ制御部１６３及び上位レイヤ１６４で管理する情報の割り当ては、これに限定されない。
【００９２】
上位レイヤ１６４は、上位レイヤ１０１へ送信するデータ及び位置情報を上り情報データとし、上り情報データをデータ信号生成部１７２へ出力する。
【００９３】
制御信号生成部１７１は、入力された制御情報を誤り訂正符号化及び変調マッピングし、制御信号を生成する。
【００９４】
データ信号生成部１７２は、入力された上り情報データを誤り訂正符号化及び変調マッピングし、上りデータ信号を生成する。
【００９５】
制御信号生成部１７１から入力された制御信号及びデータ信号生成部１７２から入力された上りデータ信号を含む信号は、送信部１７３で、Ｄ／Ａ変換され、上りリンクにおいて送信可能な周波数帯にアップコンバートされ、送信アンテナ部１７４を介して、接続するセルの基地局に送信される。
【００９６】
同期信号生成部１６５は、入力された接続基地局情報に基づいて、同期信号を生成し、同期部１５３へ出力する。これにより、次回の受信処理では、接続基地局情報に示された基地局からの信号を検出できるようになる。
【００９７】
以上のように、本実施形態における端末３００は、図３のステップＳ１０１〜Ｓ１０４において、受信部１５２は、マクロセル１０の周波数を用いてセルサーチし、マクロセル基地局１００から送信された信号を受信し、同期部１５３において同期信号との同期を行う（図３のステップＳ１０１）。このとき、最も受信電力が高いと判断されたセルＩＤを上位レイヤ１６４へ通知し、マクロセル基地局１００に接続が完了する（図３のステップＳ１０２）。また、位置情報測定部１６１では、受信信号に含まれる参照信号から位置情報を測定する（図３のステップＳ１０３）。さらに、データ信号生成部１７２は、位置情報を含む上りデータ信号を生成し、送信アンテナ１７４を介してマクロセル基地局１００へ位置情報を送信する（図３のステップＳ１０４）。
【００９８】
図３のステップＳ１０８〜Ｓ１１０において、受信部１５２は、マクロセル１０の周波数を用いてマクロセル基地局１００から送信された信号を受信する（図３のステップＳ１０８）。このとき、マクロセル１０との接続は完了しているため、図示していないが、同期部１５３では何もしない。また、下り情報データに含まれる接続基地局情報を同期信号生成部１６５へ出力し、同期信号生成部１６５では接続基地局情報に対応した同期信号を生成することによって、接続基地局の探索を行い、マクロセル基地局１００から指定されたスモールセル基地局２００−ｘと接続することができる（図３のステップＳ１０９及びＳ１１０）。
【００９９】
以上のように、本実施形態では、端末３００はマクロセル基地局１００に接続し、端末３００の位置情報をマクロセル基地局１００へ通知する。また、マクロセル基地局１００は、通知された位置情報に基づいて接続基地局を決定し、端末３００は接続先をマクロセル基地局１００から接続基地局に切り替える。これにより、端末３００は、マクロセル基地局からの同期信号と、接続基地局の測定用信号のみを検出すればよいため、信号の検出処理を削減し、効率良く接続先を変更することができる。
（第２の実施形態）
【０１００】
本実施形態における処理の流れについて説明する。図７は、本実施形態における通信システムの処理の流れの一例を示すシーケンス図である。また、本実施形態における通信システム、マクロセル基地局１００、小電力基地局２００−ｘ、端末３００の構成は第１の実施形態と同様である。以下、第１の実施形態との相違点のみを説明する。
【０１０１】
図７において、図３と同じ符号の処理（ステップＳ１０１からステップＳ１０４、ステップＳ１０６からステップＳ１１０）は、第１の実施形態と同様の処理を行う。
【０１０２】
マクロセル基地局１００は、端末３００から通知された位置情報に基づいて、候補基地局を決定とする（ステップＳ３０１）。ここで、候補基地局とは、接続する基地局の候補となる複数の基地局を表し、候補基地局は、端末３００の位置情報と各小電力基地局２００−ｘとの距離を計算し、距離が近い複数の小電力基地局２００−ｘのセルＩＤを候補基地局情報とすることが好ましい。例えば、図１において、端末３００との距離が近いセルを２つ選択し、候補基地局情報を２０−１、２０−４のセルＩＤとする。なお、候補基地局の数を予め設定してもよいし、予め閾値を設定し、端末３００と小電力基地局２００−ｘとの距離が閾値以内となる基地局を候補基地局としてもよい。なお、候補基地局情報は、接続先のセルや基地局を特定できる情報であればよく、セルＩＤに限定されない。また、第１の実施形態と同様に、マクロセル基地局１００は、端末３００の接続状況を測定し、その結果を考慮して候補基地局を決定してもよい。
【０１０３】
マクロセル基地局１００は、端末３００に受信品質を要求する（ステップＳ３０２）。
【０１０４】
端末３００は、周辺セルの基地局から送信された測定用信号のうち、候補基地局から送信された測定用信号を検出する（ステップＳ３０３）。また、端末３００は、セル毎の測定用信号からロングターム受信品質を測定する（ステップＳ３０４）。ここで、受信品質とは、受信電力、受信ＳＩＮＲ（Ｓｉｇｎａｌ  ｔｏ  Ｉｎｔｅｒｆｅｒｅｎｃｅ  ｐｌｕｓ  Ｎｏｉｓｅ  ｐｏｗｅｒ  Ｒａｔｉｏ）等、各基地局が端末３００へ送信した信号の受信品質を表すものであればよく、長期的な期間で観測した受信品質であることが好ましい。さらに、端末３００は、セル毎のロングターム受信品質をマクロセル基地局１００に通知する（ステップ３０５）。
【０１０５】
マクロセル基地局１００は、端末３００から通知されたセル毎のロングターム受信品質に基づいて、接続基地局を決定する（ステップＳ３０６）。マクロセル基地局１００は、最も受信品質が良いスモールセル２０−ｘを選択することが望ましい。例えば、小電力基地局２００−１及び小電力基地局２００−４の受信電力がそれぞれ１［ｄＢｍ］、４［ｄＢｍ］の場合、最も受信電力が高い（最もロングターム受信品質が良い）基地局である小電力基地局２００−４を接続基地局とする。
【０１０６】
マクロセル基地局１００は、端末３００に対して、接続先をマクロセル基地局１００からステップＳ３０６で決定した接続基地局に変更するよう指示する（ステップＳ１０６）。
【０１０７】
次に、本実施形態における端末３００について説明する。図８は、第２の実施形態における端末３００の構成例を示す概略ブロック図である。
【０１０８】
図８は、図６と同様な構成であるが、図６との違いは、受信品質算出部１６２では候補基地局から送信された測定用信号から各受信品質を測定し、上位レイヤへ出力する。上位レイヤ１６４は、入力された受信品質からロングターム受信品質を算出し、データ信号生成部１７２へ出力し、マクロセル基地局１００へ送信する点である。なお、ロングターム受信品質は、受信品質算出部１６２で測定した受信品質をフィルタリング（例えば、平均化）したものである。
【０１０９】
以上のように、本実施形態では、マクロセル基地局１００は位置情報に基づいて、接続先の候補となる候補基地局を決定し、端末３００から通知された接続候補基地局のロングターム受信品質に基づいて、接続基地局を決定する。受信品質は、他の端末との通信状況等によって決まるため、位置情報のみで接続基地局を決定する場合と比べて、より最適な接続先を決定することができる。したがって、本実施形態を用いると、セルサーチに必要な信号検出の処理を減らしつつ、マクロエリアのキャパシティを向上させることができる。
（第３の実施形態）
【０１１０】
図９は、第３の実施形態における通信システムの構成例を示す概略図である。図９において、端末４００−２は、矢印の方向に移動し、小電力基地局２００−２（第二の基地局）がカバーするスモールセル２０−２から、小電力基地局２００−４（第三の基地局）がカバーするスモールセル２０−４に移動する場合について考える。端末４００−２は、第１の実施形態又は第２の実施形態の方法に基づいて小電力基地局２００−２と接続している。
【０１１１】
このとき、端末４００−２がスモールセルに移動した場合には小電力基地局２００−４につなぎかえる必要がある。本実施形態ではこのような環境下でのつなぎかえる方法を提供する。
【０１１２】
図１０は、本実施形態における通信システムの処理の流れの一例を示すシーケンス図である。ここでは、端末４００−２は既に小電力基地局２００−２と接続しており、小電力基地局２００−４へ接続を変更するものとする。
【０１１３】
まず、小電力基地局２００−２からの測定用信号を受信し、受信品質を測定する（ステップＳ４０１）。このとき、測定された受信品質が閾値以下であれば、端末４００−２は他の基地局に接続した方がよいと判断し、位置情報を生成する（ステップＳ４０２）。前記位置情報は、マクロ基地局１００に送信される（ステップＳ４０３）。これを受信した基地局１００は、接続基地局を決定し（ステップＳ４０４）、決定された接続基地局の情報を端末４００−２に送信する（ステップＳ４０５）。その後、通知された接続基地局の情報に基づいて接続基地局の同期信号を生成する（ステップＳ４０６）。その後、小電力基地局２０−４が測定用信号を送信し（ステップＳ４０７）、端末４００−２は測定用信号との同期を行い（ステップＳ４０８）、接続基地局に接続する（ステップＳ４０９）。なお、ステップＳ４０７で送信される測定用信号に関しては、小電力基地局２００−４が周期的又は自律的に送信していてもよく、小電力基地局の測定用信号の送信タイミングは限定されない。
【０１１４】
このように、本実施形態を適用することで、効率よくスモールセルをつなぎかえることができる。
【０１１５】
なお、本実施形態では、スモールセル間のハンドオーバは端末が判断しているが、例えば、小電力基地局が他の基地局に接続した方がよいと判断する場合、マクロセル基地局が接続の再判断をするように要求してもよい。
【０１１６】
本発明に関わる基地局および端末で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１１７】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局および端末の一部、又は全部を典型的には集積回路であるＬＳＩとして実現してもよい。基地局および端末の各機能ブロックは個別にチップ化してもよいし、一部、又は全部を集積してチップ化してもよい。また、集積回路化の手法はＬＳＩに限らず専用回路、又は汎用プロセッサで実現してもよい。各機能ブロックを集積回路化した場合に、それらを制御する集積回路制御部が付加される。
【０１１８】
また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いることも可能である。
【０１１９】
また、本願発明は上述の実施形態に限定されるものではない。本願発明の端末は、移動局装置への適用に限定されるものではなく、屋内外に設置される据え置き型、又は非可動型の電子機器、たとえば、ＡＶ機器、キッチン機器、掃除・洗濯機器、空調機器、オフィス機器、自動販売機、その他生活機器などに適用出来ることは言うまでもない。
【０１２０】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１２１】
本発明は、無線基地局や無線端末や無線通信システムや無線通信方法に用いて好適である。
【符号の説明】
【０１２２】
１０  マクロセル
１００  マクロセル基地局
２０−１、２０−２、２０−３、２０−４  スモールセル
２００−１、２００−２、２００−３、２００−４  小電力基地局
３００  端末
１０１  上位レイヤ
１０１−１  位置情報検出部
１０１−２  接続基地局決定部
１０１−３  情報データ生成部
１０２  物理レイヤ制御部
１０３  符号化部
１０４  変調部
１０５  参照信号生成部
１０６  制御信号生成部
１０７  同期信号生成部
１０８  リソースマッピング部
１０９  ＩＦＦＴ部
１１０  ＣＰ挿入部
１１１  送信部
１１２  送信アンテナ部
１２１  受信アンテナ部
１２２  受信部
１２３  制御情報検出部
１２４  情報データ検出部
１５１  受信アンテナ部
１５２  受信部
１５３  同期部
１５４  ＣＰ除去部
１５５  制御情報検出部
１５６  ＦＦＴ部
１５７  伝搬路推定部
１５８  伝搬路補償部
１５９  復調部
１６０  復号部
１６１  位置情報測定部
１６２  受信品質算出部
１６３  物理レイヤ制御部
１６４  上位レイヤ
１６５  同期信号生成部
１７１  制御信号生成部
１７２  データ信号生成部
１７３  送信部
１７４  送信アンテナ部
【図１】
2014050449.tif 000003
【図２】
2014050449.tif 000004
【図３】
2014050449.tif 000005
【図４】
2014050449.tif 000006
【図５】
2014050449.tif 000007
【図６】
2014050449.tif 000008
【図７】
2014050449.tif 000009
【図８】
2014050449.tif 000010
【図９】
2014050449.tif 000011
【図１０】
2014050449.tif 000012
【国際調査報告】
2014050449.tif 000013
2014050449.tif 000014
2014050449.tif 000015
2014050449.tif 000016